(57)【特許請求の範囲】
【請求項１】
情報処理装置に接続され、該情報処理装置から送られる画像データのファクシミリ送信を実行する通信装置において、前記情報処理装置から送られる前記画像データに関するプリントジョブ言語での情報を前記情報処理装置から受信する手段と、受信したプリントジョブ言語での情報に応じて前記ファクシミリ送信の準備処理を行う手段と、前記ファクシミリ送信の宛先指示を受け付ける手段と、受け付けた宛先指示に応じて、前記情報処理装置から送られた画像データのファクシミリ送信を行う手段と、受信したプリントジョブ言語での情報に応じて、前記情報処理装置から送られた画像データに応じた画像を記録する手段とを備えており、プリントジョブ言語での情報にてファクシミリ送信の指示がある場合に該プリントジョブ言語での情報にてプリントの指示があるか否かを判断し、プリントの指示がある場合には、受信した画像データをプリントし、その後該画像データをファクシミリ形式に変換して送信するようにしたことを特徴とする通信装置。
【発明の詳細な説明】
【０００１】
【発明の属する技術分野】
本発明は、パーソナルコンピュータ(Personal Computer，以下、ＰＣという）などの情報処理装置から送信される画像データのファクシミリ送信処理及び記録処理を行える通信装置に関する。
【０００２】
【従来の技術】
本来のコピー機能，ファクシミリ機能に加えて、ＰＣと通信回線を介して接続されており、ＰＣから送られる画像データを他のファクシミリ装置へ送信する送信機能、及び、その画像データに応じた画像を記録するプリント機能を備えた機能複合型のファクシミリ装置が開発されている。
【０００３】
このようなファクシミリ送信機能，プリント機能をＰＣから指示する際に、従来では、ファクシミリ送信用のドライバとプリント用のドライバとを別々に設けておき、ファクシミリ送信機能のみを指示する場合には前者のドライバを使用し、プリント機能のみを指示する場合には後者のドライバを使用し、ファクシミリ送信機能及びプリント機能を指示する場合には両方のドライバを使用している。
【０００４】
【発明が解決しようとする課題】
上述したように、従来では、ＰＣからの指示内容、つまり複合型ファクシミリ装置の利用用途に応じて、ドライバを使い分けなければならず、即ち、利用用途に応じて、異なるプログラムを立ち上げなければならず、操作が面倒であるという問題がある。
【０００５】
本発明は斯かる事情に鑑みてなされたものであり、複数のドライバを使い分けることなく１つのドライバにてファクシミリ送信処理と記録処理との指示を行えるようにした通信装置を提供することを目的とする。
【０００６】
【課題を解決するための手段】
本発明に係る通信装置は、情報処理装置に接続され、該情報処理装置から送られる画像データのファクシミリ送信を実行する通信装置において、前記情報処理装置から送られる前記画像データに関するプリントジョブ言語での情報を前記情報処理装置から受信する手段と、受信したプリントジョブ言語での情報に応じて前記ファクシミリ送信の準備処理を行う手段と、前記ファクシミリ送信の宛先指示を受け付ける手段と、受け付けた宛先指示に応じて、前記情報処理装置から送られた画像データのファクシミリ送信を行う手段と、受信したプリントジョブ言語での情報に応じて、前記情報処理装置から送られた画像データに応じた画像を記録する手段とを備えており、プリントジョブ言語での情報にてファクシミリ送信の指示がある場合に該プリントジョブ言語での情報にてプリントの指示があるか否かを判断し、プリントの指示がある場合には、受信した画像データをプリントし、その後該画像データをファクシミリ形式に変換して送信するようにしたことを特徴とする。
【０００７】
本発明の通信装置にあっては、接続された情報処理装置から画像データと該画像データについてのプリントジョブ言語での情報とが送信された場合に、プリントジョブ言語での情報に応じてファクシミリ送信の準備処理を行う。よって、ファクシミリ送信処理の場合でも、画像データを情報処理装置から通信装置へ送るだけで良く、記録処理時と同じドライバにてファクシミリ送信の指示を行え、１つのドライバにてファクシミリ送信処理及び記録処理の両方の指示が可能となる。また、情報処理装置から送信された画像データの宛先を自身で指定し、その指定の宛先へファクシミリ送信を実行する。よって、宛先指定は通信装置の機能にて行うため、情報処理装置側にて宛先の管理を行う必要がなくなる。また、受信したプリントジョブ言語での情報に応じて、画像データの記録も行う。よって、１つのドライバでの指示にてファクシミリ送信と記録との両方の処理を行える。
【００１２】
【発明の実施の形態】
以下、本発明をその実施の形態を示す図面を参照して具体的に説明する。
図１は、本発明の通信装置としてのファクシミリ装置の構成を示すブロック図であり、本発明のファクシミリ装置３０は、主制御部１，読取部２，記録部３，表示部４，操作部５，符号化・復号化部６，ＲＯＭ７，ＲＡＭ８，画像メモリ９，モデム１０，ＮＣＵ（Network Control Unit）１１，ＰＣインタフェース部１２等を備えている。ファクシミリ装置３０は、本来のファクシミリ機能に加えて、情報処理装置としてのＰＣ２０に接続することにより、ＰＣ２０から送られた画像データを他のファクシミリ装置へ送信する送信機能と、その画像データに応じた画像を自身の記録部３でプリントアウトするプリント機能とを有している。
【００１３】
主制御部１は、具体的にはＣＰＵで構成されており、バス１３を介してファクシミリ装置３０の上述したようなハードウェア各部と接続されていて、それらを制御すると共に、ＲＯＭ７に格納されたコンピュータプログラムに従って、種々のソフトウェア的機能を実行する。読取部２は、例えばＣＣＤを利用したスキャナで原稿を読み取り、読み取った画像データを出力する。記録部３は、電子写真方式のプリンタ装置であって、ファクシミリ通信により受信した画像データ、読取部２にて読み取った原稿の画像データ、ＰＣ２０から送られてきた画像データなどに応じた画像をプリントアウトする。
【００１４】
表示部４は、液晶表示装置またはＣＲＴディスプレイ等の表示装置であり、ファクシミリ装置３０の動作状態を表示したり、送信すべく読み取った原稿の画像データ、他のファクシミリ装置から受信した画像データ、ＰＣ２０から送られてきた画像データなどの表示を行う。操作部５は、ファクシミリ装置３０を操作するために必要な文字キー，テンキー，短縮ダイヤルキー，ワンタッチダイヤルキー，各種のファンクションキーなどを備えている。なお、表示部４をタッチパネル方式とすることにより、操作部５の各種のキーの内の一部または全部を代用することも可能である。符号化・復号化部６は、画信号を符号化圧縮すると共に、符号化圧縮されているデータを元の画信号に復号化する。
【００１５】
ＲＯＭ７は、ファクシミリ装置３０の動作に必要な種々のソフトウェアのプログラムを予め格納している。ＲＡＭ８は、ＳＲＡＭまたはフラッシュメモリ等で構成され、ソフトウェアの実行時に発生する一時的なデータを記憶する。画像メモリ９は、ＤＲＡＭ等で構成され、送信すべく読み取った画像データ、他のファクシミリ装置から受信した画像データ、ＰＣ２０から送られてきた画像データなどを蓄積する。
【００１６】
モデム１０は、バス１３に接続されており、ファクシミリ通信が可能なファクシミリモデムから構成されている。また、モデム１０は、同様にバス１３に接続されたＮＣＵ１１と直接的に接続されている。ＮＣＵ１１は、電話回線網との回線Ｌの閉結及び開放の動作を行うハードウェアであり、必要に応じてモデム１０を電話回線網と接続する。ＰＣインタフェース部１２は、通信回線Ｃを介してＰＣ２０に接続されており、ＰＣ２０との間でデータのやりとりを行う。
【００１７】
ＰＣ２０は、画像データを作成・編集し、作成・編集した画像データのファクシミリ送信及び／またはプリントを指示してその画像データをファクシミリ装置３０へ通信回線Ｃを介して送信する。この際、ファクシミリ装置３０に対するファクシミリ送信及び／またはプリントの指示は、画像データと共に送信するプリントジョブ言語（Print Job Language：ＰＪＬ）データによってなされる。また、ＰＣ２０は、一般的なプリンタに通常送られるページ記述言語(Page Description Language：ＰＤＬ）で表されるプリントデータとして、画像データをファクシミリ装置３０へ送信する。
【００１８】
ＰＣ２０は、プリント処理を指示する従来と同様のプリンタドライバを有しており、そのプリンタドライバにファクシミリ送信の指示、ファクシミリ送信／プリントの指示のチェックボックスを設けている。これにより、１つのプリンタドライバへの指示だけで、ファクシミリ送信／プリントの指示、ファクシミリ送信の指示、プリントの指示の３種の指示を切り替えることが可能である。
【００１９】
次に、本発明のファクシミリ装置３０の動作について、その手順を示す図２のフローチャートを参照して説明する。
【００２０】
主制御部１は、ＰＣ２０から送信されたＰＪＬデータにてファクシミリ送信の指示があるか否かを判断する（ステップＳ１）。その指示がない場合に（Ｓ１：ＮＯ）、受信したプリントデータを記録部３にてプリントする（ステップＳ９）。プリントデータが全て終了したか否かを判断し（ステップＳ１０）、終了していない場合には（Ｓ１０：ＮＯ）、残りのプリントデータをプリントする（Ｓ９）。全てのプリントデータのプリント処理を終了した場合に（Ｓ１０：ＹＥＳ）、動作が終了する。
【００２１】
一方、ファクシミリ送信の指示がある場合に（Ｓ１：ＹＥＳ）、主制御部１は、ＰＪＬデータにてプリントの指示があるか否かを判断する（ステップＳ２）。プリントの指示がある場合には（Ｓ２：ＹＥＳ）、受信したプリントデータを記録部３にてプリントして（ステップＳ３）、動作がステップＳ４に進む。プリントの指示がない場合（Ｓ２：ＮＯ）、そのまま動作はＳ４に進む。
【００２２】
次いで、ＰＤＬ形式のプリントデータをラスタライズし、ファクシミリ形式の符号に圧縮変換し（Ｓ４）、変換したプリントデータを画像メモリ９に格納する（ステップＳ５）。このＳ４及びＳ５における処理が、ファクシミリ送信の準備処理である。全てのプリントデータに対する準備処理が終了したか否かを判断し（ステップＳ６）、終了していない場合には（Ｓ６：ＮＯ）、Ｓ２〜Ｓ５の処理を繰り返す。全てのプリントデータに対する準備処理を終了した場合に（Ｓ６：ＹＥＳ）、動作がステップＳ７に進む。
【００２３】
次いで、操作部５への操作入力によって宛先を指定したファクシミリ送信の指示がなされたか否かを判断する（Ｓ７）。ファクシミリ送信の指示がなされた場合（Ｓ７：ＹＥＳ）、指定された宛先のファクシミリ装置へ、画像メモリ９に格納されているプリントデータをファクシミリ送信して（ステップＳ８）、動作が終了する。
【００２４】
本発明では、ファクシミリ送信及びプリントの場合、ファクシミリ送信のみの場合、プリントのみの場合の何れの場合でも、共通のプリンタドライバにて指示を送り、ファクシミリ送信かプリントかの判断はＰＪＬデータにて行うようにしている。従って、従来のようにドライバを使い分けることなく、１つのドライバにて、ファクシミリ送信，プリントの両方の指示を行える。また、ファクシミリ送信の宛先指定は、ＰＣ２０からではなくてファクシミリ装置３０にて行っている。従って、ＰＣ２０側にて宛先の管理を行う必要がなく、また、操作部５の短縮ダイヤルキー，ワンタッチダイヤルキーを利用でき、同報送信も行える。
【００２５】
なお、上述した例では、電話回線網を介して他のファクシミリ装置へＰＣ２０からの画像データを送信するようにしたが、その送信先がインターネットファクシミリ装置であっても良いことは勿論である。
【００２６】
【発明の効果】
以上のように本発明では、接続された情報処理装置から画像データとプリントジョブ言語データとが送信された場合、通信装置がプリントジョブ言語データに応じてファクシミリ送信の準備処理を行うようにしたので、ファクシミリ送信処理の場合でも、画像データを情報処理装置から通信装置へ送るだけで良く、記録処理時と同じドライバにてファクシミリ送信の指示を行えるため、１つのドライバ（プリンタドライバ）にてファクシミリ送信処理及び記録処理の両方の指示を行うことができる。
【００２７】
また本発明では、画像データのファクシミリ送信の宛先を通信装置にて指定するようにしたので、情報処理装置側にて宛先を管理する必要をなくすことができる。
【００２８】
更に本発明では、プリントジョブ言語データに応じて、画像データの記録も行うようにしたので、１つのドライバでの指示にてファクシミリ送信と記録との両方の処理を行うことができる。
【図面の簡単な説明】
【図１】本発明のファクシミリ装置の構成を示すブロック図である。
【図２】本発明のファクシミリ装置の動作手順を示すフローチャートである。
【符号の説明】
１  主制御部
３  記録部
５  操作部
７  ＲＯＭ
８  ＲＡＭ
１０  モデム
１１  ＮＣＵ
１２  ＰＣインタフェース部
２０  ＰＣ
３０  ファクシミリ装置
【図１】
0003823874.tif 000002
【図２】
0003823874.tif 000003